(57)【要約】【課題】  デジタルビデオカメラ等の撮像装置と映像記録再生装置とにより構成される映像記録再生システムにおいて、撮影側において映像記録再生装置への記録確認を行うことができるようにする。【解決手段】  デジタルビデオカメラ１０１において撮影映像のテープ１０５への記録が開始されると、アイソクロナス信号２０２が伝送されてくるので、ＡＶＨＤＤ１０２では、そのアイソクロナス信号２０２をアイソクロナスパケットから映像データに変換して、記録する。ＡＶＨＤＤ１０２は、デジタルビデオカメラ１０１からの記録確認要求を受信することにより、記録している映像の再生を開始し、その再生映像を別チャンネルによってデジタルビデオカメラ１０１にフィードバックする。【選択図】  図１
2007036357.tif 000002
【特許請求の範囲】
【請求項１】
記録開始の指示により内蔵記録媒体に撮影映像のデータを記録する撮像装置と、前記撮像装置に接続する映像記録再生装置とにより構成される映像記録再生システムであって、
前記撮像装置は、前記内蔵記録媒体に記録開始された撮影映像のデータを前記映像記録再生装置に伝送する伝送手段を備え、
前記映像記録再生装置は、前記撮像装置から伝送される撮影映像のデータを記録する記録手段と、前記記録手段による記録に関する情報を前記撮像装置に伝送する伝送手段とを備えることを特徴とする映像記録再生システム。
【請求項２】
前記撮像装置は、前記映像記録再生装置に記録確認要求を行う記録確認要求手段を備え、
前記映像記録再生装置は、前記撮像装置から記録確認要求を受信した場合に、前記伝送手段により記録に関する情報を前記撮像装置に伝送することを特徴とする請求項１に記載の映像記録再生システム。
【請求項３】
前記撮像装置は、撮影映像と、前記映像記録再生装置から伝送されてきた記録に関する情報とを表示可能な表示手段を更に備えることを特徴とする請求項１又は２に記載の映像記録再生システム。
【請求項４】
前記撮像装置にて、前記映像記録再生装置から伝送される記録に関する情報として、複数の中から所望のものを選択することができることを特徴とする請求項１〜３のいずれか１項に記載の映像記録再生システム。
【請求項５】
前記映像記録再生装置は、前記記録手段に記録された撮影映像のデータを再生する再生手段を更に備え、前記伝送手段が、記録に関する情報として、前記再生手段による再生映像のデータを前記撮像装置に伝送することを特徴とする請求項１〜４のいずれか１項に記載の映像記録再生システム。
【請求項６】
前記撮像装置は、撮影映像上に前記映像記録再生装置から伝送されてきた再生映像を重ねて表示可能な表示手段を更に備えることを特徴とする請求項５に記載の映像記録再生システム。
【請求項７】
前記撮像装置の伝送手段が撮影映像のデータを前記映像記録再生装置に伝送するときに用いるチャンネルと、前記映像記録再生装置の伝送手段が再生映像のデータを前記撮像装置に伝送するときに用いるチャンネルとを互いに異なるものとしたことを特徴とする請求項５又は６に記載の映像記録再生システム。
【請求項８】
前記映像記録再生装置の伝送手段は、記録に関する情報として、記録時間に関する情報を前記撮像装置に伝送することを特徴とする請求項１〜４のいずれか１項に記載の映像記録再生システム。
【請求項９】
前記映像記録再生装置の伝送手段は、記録に関する情報として、データ名に関する情報を前記撮像装置に伝送することを特徴とする請求項１〜４のいずれか１項に記載の映像記録再生システム。
【請求項１０】
前記映像記録再生装置の伝送手段は、記録に関する情報として、前記映像記録再生装置の電池残量、記録空き容量、記録モードの少なくともいずれかを含む記録状態に関する情報を前記撮像装置に伝送することを特徴とする請求項１〜４のいずれか１項に記載の映像記録再生システム。
【請求項１１】
記録開始の指示により内蔵記録媒体に撮影映像のデータを記録する撮像装置と、前記撮像装置に接続する映像記録再生装置とにより実行される映像記録再生方法であって、
前記撮像装置が、前記内蔵記録媒体に記録開始された撮影映像のデータを前記映像記録再生装置に伝送する手順を実行し、
前記映像記録再生装置が、前記撮像装置から伝送される撮影映像のデータを記録する記録手順と、前記記録手順による記録に関する情報を前記撮像装置に伝送する伝送手順とを実行することを特徴とする映像記録再生方法。
【発明の詳細な説明】
【技術分野】
【０００１】
本発明は、デジタルビデオカメラ等の撮像装置と映像記録再生装置とにより構成される映像記録再生システム及び方法に関する。
【背景技術】
【０００２】
デジタルビデオカメラでは、ビデオ出力端子に常に撮影映像のデータを出力しており、その映像を内蔵の記録媒体以外に記録したい場合、ビデオ出力端子に他のビデオ機器を接続し、当該他のビデオ機器の記録ボタン等を押すことで記録を行っていた。
【０００３】
また、デジタルビデオカメラは、デジタルインターフェースIEEE1394に準拠したＤＶ端子を装備しており、このＤＶ端子に同じくIEEE1394端子を持つデジタルビデオ等の機器が接続されている場合のみ撮影映像のデータを出力しており、同様に接続されたデジタルビデオの記録ボタン等を押すことで記録を行っていた。
【０００４】
最近では、ＡＶＨＤＤと呼ばれるIEEE1394端子を持つＡＶ専用のハードディスクを記録媒体に持ち、ビデオと同じフォーマット信号で記録再生を行うものが開発されている。これにより、従来テープに記録された撮影映像のデータをパーソナルコンピュータ等のハードディスクにコピーし、ノンリニア編集を行っていたユーザが、直接ビデオカメラの映像データをビデオカメラに接続されたＡＶＨＤＤに記録することで、テープからのコピー時間を節約する利用法が行われるようになっている。
【０００５】
一般的に、ビデオカメラの撮影映像がＡＶＨＤＤへ確実に記録されたか否かを判断する手段としては、記録ボタン等を押した後に、ＡＶＨＤＤの表示が変更されたか否かを視認することで行っている。
【発明の開示】
【発明が解決しようとする課題】
【０００６】
しかしながら、ＡＶＨＤＤの内蔵容量には限界があり、編集作業の簡略化を行うための一時保存として用い、オリジナルの映像データは従来のようにテープに保存してライブラリとして用いることが多いため、ユーザはデジタルビデオカメラの記録を開始した後、すばやくＡＶＨＤＤの表示の変更を確認する操作が必要であるという欠点があった。
【０００７】
また、デジタルビデオカメラとＡＶＨＤＤとの距離が離れている場合、ＡＶＨＤＤへの記録を確認するためにファインダーから目を離さなければならなくなり、ユーザが必要としている映像を撮り逃す可能性があるという欠点があった。
【０００８】
さらに、ＡＶＨＤＤのハード的な問題で表示される情報が極端に少ない場合に必要な情報が得られないという欠点や、距離によっては双方の操作が不可能であるという欠点があった。
【０００９】
本願発明は上記のような点に鑑みてなされたものであり、デジタルビデオカメラ等の撮像装置と映像記録再生装置とにより構成される映像記録再生システムにおいて、撮影側において映像記録再生装置への記録確認を行うことができるようにすることを目的とする。
【課題を解決するための手段】
【００１０】
本発明による映像記録再生システムは、記録開始の指示により内蔵記録媒体に撮影映像のデータを記録する撮像装置と、前記撮像装置に接続する映像記録再生装置とにより構成される映像記録再生システムであって、前記撮像装置は、前記内蔵記録媒体に記録開始された撮影映像のデータを前記映像記録再生装置に伝送する伝送手段を備え、前記映像記録再生装置は、前記撮像装置から伝送される撮影映像のデータを記録する記録手段と、前記記録手段による記録に関する情報を前記撮像装置に伝送する伝送手段とを備えることを特徴とする。
本発明による映像記録再生方法は、記録開始の指示により内蔵記録媒体に撮影映像のデータを記録する撮像装置と、前記撮像装置に接続する映像記録再生装置とにより実行される映像記録再生方法であって、前記撮像装置が、前記内蔵記録媒体に記録開始された撮影映像のデータを前記映像記録再生装置に伝送する手順を実行し、前記映像記録再生装置が、前記撮像装置から伝送される撮影映像のデータを記録する記録手順と、前記記録手順による記録に関する情報を前記撮像装置に伝送する伝送手順とを実行することを特徴とする。
【発明の効果】
【００１１】
本発明によれば、撮像装置において、内蔵記録媒体へ記録している撮影映像を見ながら、外部の映像記録再生装置への記録確認を行うことができる。
【発明を実施するための最良の形態】
【００１２】
以下、添付図面を参照して、本発明の好適な実施形態について説明する。
（システム構成）
図１に、本発明を適用した実施形態の映像記録再生システムの構成例を示す。１０１は本発明でいう撮像装置に相当するデジタルビデオカメラ、１０２は本発明でいう映像記録再生装置に相当するＡＶＨＤＤと呼ばれるIEEE1394端子を持つＡＶ専用のハードディスク、１０３はIEEE1394ケーブル、１０４はデジタルビデオカメラ１０１のトリガボタン、１０５はデジタルビデオカメラ１０１に内蔵されているテープである。
【００１３】
図１に示すように、デジタルビデオカメラ１０１の撮影映像をＡＶＨＤＤ１０２にも記録するようにIEEE1394ケーブル１０３を介して接続する。ユーザは、デジタルビデオカメラ１０１のトリガボタン１０４を押下して、デジタルビデオカメラ１０１に内蔵されているテープ１０５への撮影映像の記録を開始する。
【００１４】
ここで、図２にIEE1394ケーブル１０３上に転送されるアイソクロナス信号と非同期に転送されるアシンクロナス信号の混在した場合のエンベロープ波形を示す。アイソクロナス信号に関しては「IEEE Std 1394-1995・IEEE Standard for a High Performance Serial Bus」に記述されている。非同期にＡＶ／Ｃコマンドを発行するアシンクロナス信号に関しては「IEC 61883」で定義されている。
【００１５】
図２において、２０１は１２５μＳごとのサイクルスタートパケット、２０２はアイソクロナス信号、２０３はアシンクロナス信号である。一般的に、アイソクロナス信号２０２は、ブロードキャストチャンネルである６３ｃｈで伝送される。このアイソクロナス信号２０２は、テープ１０５に記録されるデジタルビデオカメラ１０１での撮影映像及び音声と同じ信号がパケットの形に変換されて出力されている。
【００１６】
デジタルビデオカメラ１０１とＡＶＨＤＤ１０２は、バスリセットが発生するたびに、映像データを伝送するアイソクロナスコネクションを確立する。このアイソクロナスコネクションを確立する際に、どのチャンネルにどのデータを伝送するかの設定を行う。一般的にデジタルビデオカメラ１０１での撮影映像のデータはブロードキャストチャンネルである６３ｃｈを用いて伝送されるが、２種類の映像データを同時に伝送する場合には別のチャンネルを用意する必要がある。
【００１７】
図３に、アイソクロナスコネクションで６３ｃｈ以外のチャンネルを設定する場合の処理の流れを示す。バスリセットが発生したことを確認すると（ステップ３０１）、IEEE1394バスに接続されているか否かを確認する（ステップ３０２）。IEEE1394バスに接続されていない場合は、チャンネルを設定する必要もないので終了する。IEEE1394バスに接続されていた場合は、バスリセット発生以前の状態を保つ必要があるため、バスリセット発生以前にコネクションが張られていたチャンネルがあるか否かを確認する（ステップ３０３）。コネクションが張られていた場合には、同じチャンネルでコネクションを張ることでチャンネルの確保を行う（ステップ３０４）。新しくチャンネルを張る場合には、６３ｃｈ以外で最大のチャンネルを検索する（ステップ３０５）。もし他にチャンネルを使っていなければ６２ｃｈが割り当てられることになる。ここで検索した最大のチャンネルにコネクションを張ることによって（ステップ３０６）、ブロードキャストチャンネル以外のデータ伝送のチャンネルを確保することができる。
【００１８】
（デジタルビデオカメラ１０１の構成）
図４に、デジタルビデオカメラ１０１の内部構成を示す。４０１は撮像部、４０２は信号処理回路、４０３はテープ記録回路、４０４はIEEE1394入出力回路、４０５は表示部、４０６はトリガボタン、４０７はシステムコントローラである。図中の太い実線はデータの流れを、細い実線は情報の流れを示している。なお、デジタルビデオカメラ１０１ではオーディオ回路も存在し、音声も録音されるが、ここでは簡単化のためオーディオ回路の説明は省略する。
【００１９】
撮像部４０１による撮影映像のデータは、信号処理回路４０２でテープ１０５に記録するフォーマットへ変換されてテープ記録回路４０３へ送られる。同時に、撮影映像のデータは、表示部４０５及びIEEE1394入出力回路４０４にも送られる。ユーザは、表示部４０５に表示される映像を見ることで、現在撮影中の映像を確認することができる。
【００２０】
（ＡＶＨＤＤ１０２の構成）
図５に、ＡＶＨＤＤ１０２の内部構成を示す。５０１は信号処理回路、５０２はＨＤＤ記録回路、５０３はIEEE1394入出力回路、５０４はＨＤＤ再生回路、５０５はシステムコントローラである。図中の太い実線はデータの流れを、細い実線は情報の流れを示している。
【００２１】
IEEE1394入出力回路５０３は、バスリセット後、図３に示したフローチャートによりチャンネルが設定されたならば、図２に示したアイソクロナス信号２０２とアシンクロナス信号２０３が存在しなくても、常にポートがアクティブとなって、受信状態になっている。そして、アイソクロナス信号２０２が存在するか否かの情報をシステムコントローラ５０５に送り続けている。
【００２２】
システムコントローラ５０５は、アイソクロナス信号２０２が存在しない間は、ＨＤＤ記録回路５０２及びＨＤＤ再生回路５０４を停止状態にする。また、アシンクロナス信号２０３が非同期に伝送されてきた場合には、対応したＣＴＳ(Command Transaction Set)のコマンドを解釈して実行し、レスポンスを送る。
【００２３】
（映像記録再生システムでの処理動作）
図８には、デジタルビデオカメラ１０１のトリガボタン４０６が押下されてから、デジタルビデオカメラ１０１においてＡＶＨＤＤ１０２への記録確認を行うまでの処理の流れを示す。
【００２４】
デジタルビデオカメラ１０１において、表示部４０５に撮影映像が表示されるとともに（図８の撮影映像表示命令８０２）、ユーザが記録を開始しようとトリガボタン４０６を押下すると、その情報がシステムコントローラ４０７へ伝えられる（図８の記録開始信号８０１）。
【００２５】
システムコントローラ４０７は、撮影映像のデータをテープ１０５に記録するようにテープ記録回路４０３へ指示する。テープ記録回路４０３では、フォーマットにのっとった記録を行うためにタイムコード等のつなぎ動作やサーボ等の処理を行い、撮影映像のデータをテープ１０５上に正しく記録する動作を開始する。
【００２６】
また、システムコントローラ４０７は、テープ１０５への記録開始と同じタイミングでアイソクロナス信号２０２を出力するようにIEEE1394入出力回路４０４へ指示し、更に、記録確認要求のアシンクロナス信号２０３を出力するようにIEEE1394入出力回路４０４へ指示する（図８の出力命令８０３、記録確認要求８０４）。IEEE1394入出力回路４０４では、この指示に従ってIEEE1394バス上に図２に示すようなアイソクロナス信号２０２とアシンクロナス信号２０３を出力する（図８のアイソクロナス信号出力８０５、アシンクロナス信号８０６）。
【００２７】
さらに、システムコントローラ４０７は、記録を開始したことを表示するように表示部４０５へ指示する。表示部４０５では、この指示に従ってテープ記録中であることを表示するので、ユーザはテープ１０５へ記録したい映像が確実に録画されていることを確認することができる。
【００２８】
ＡＶＨＤＤ１０２において、上述したようにデジタルビデオカメラ１０１で記録が開始されると、アイソクロナス信号２０２が伝送されてくるので、IEEE1394入出力回路５０３は、アイソクロナス信号２０２が存在することをシステムコントローラ５０５に伝える（図８の受信通知８０７）。そして、受信したアイソクロナス信号２０２をアイソクロナスパケットから映像データに変換して、信号処理回路５０１へ送る。信号処理回路５０１は、送られてきた映像データをＨＤＤに記録するためのフォーマットに変換して、ＨＤＤ記録回路５０２へ送る。ここで、システムコントローラ５０５は、ＨＤＤ記録回路５０２に記録動作を開始することを指示する（図８の記録命令８０９）。ＨＤＤ記録回路５０２は、この指示に従ってサーボ等の制御を行いながら、送られてきた映像データを記録する。
【００２９】
また、アイソクロナス信号２０２を受信したときに、IEEE1394入出力回路５０３は、デジタルビデオカメラ１０１で記録開始と同時に伝送されたアシンクロナス信号２０３が存在することをシステムコントローラ５０５に伝える（図８の受信通知８０８）。
【００３０】
ここで、図６を参照して、ＡＶＨＤＤ１０２において記録確認要求のアシンクロナス信号２０３を受信したときの処理の流れについて説明する。アシンクロナス信号２０３によって送られてきたコマンドが記録確認要求であるか否かを判断し（ステップ６０１）、他のコマンドであった場合、対応したＡＶ／Ｃコマンドを処理し、レスポンスを発行する。
【００３１】
記録確認要求であった場合には、記録確認用の別チャンネルが確保されているか否かを確認し（ステップ６０２）、確保されていなければ、すぐにチャンネル確保のネゴシエーションを行う（ステップ６０３）。
【００３２】
続いて、記録確認用の再生中であるか否かを判断し（ステップ６０４）、記録確認用の再生中でなければ伝送可能時間をリセットし初期値に戻す（ステップ６０５）。伝送可能時間とは、記録確認用の再生映像を流す時間であり、記録確認要求のコマンド内に設定されている。
【００３３】
その後、伝送可能時間内であるか否かを判断し（ステップ６０６）、伝送可能時間内であれば、システムコントローラ５０５は、記録開始位置から順次再生するようにＨＤＤ再生回路５０４へ指示する（図８の再生命令８１０）（ステップ６０７）。ＨＤＤ再生回路５０４はすぐに再生を開始し（ステップ６０８）、アイソクロナス信号２０２へ変換するために再生映像のデータを信号処理回路５０１へ送る（ステップ６０９）。アイソクロナス信号２０２へ変換された映像データは、IEEE1394入出力回路５０３へと送られて（ステップ６１０）、予め設定されている別チャンネルを用いて、記録確認要求を発行したデジタルビデオカメラ１０１へと伝送される（図８の出力命令８１１、アイソクロナス信号出力８１２）。
【００３４】
伝送可能時間内でなければ、システムコントローラ５０５は、再生を停止するようにＨＤＤ再生回路５０４へ指示する（ステップ６１１）。ＨＤＤ再生回路５０４は、この指示に従い再生動作を停止する。再生動作が停止することで、IEEE1394入出力回路５０３には再生映像のデータが送られてこなくなり、アイソクロナス信号２０２の伝送が停止する。
【００３５】
もちろん、ここでもアイソクロナス信号２０２の中にはオーディオ信号も含まれるが、簡単化のために説明を省略化する。
【００３６】
次に、デジタルビデオカメラ１０１においてＡＶＨＤＤ１０２からアイソクロナス信号２０２が別チャンネルで送信されてきたときの処理の流れについて説明する。アイソクロナス信号２０２の中にはオーディオ信号も含まれるが、簡単化のためにビデオ信号のみの説明を行い、オーディオ信号の説明は省略する。
【００３７】
IEEE1394入出力回路４０４は、トリガボタン４０６を押下することにより出力される撮像部４０１からの撮影映像のアイソクロナス信号２０２をブロードキャストチャンネルで出力している。また、設定された別チャンネルのアイソクロナス信号２０２が存在するか否かの情報をシステムコントローラ４０７へ送っている。
【００３８】
記録開始と共に記録確認要求をＡＶＨＤＤ１０２へ送信すると、ＡＶＨＤＤ１０２で再生された映像はアイソクロナス信号２０２として別チャンネルで伝送されてくるので、IEEE1394入出力回路４０４はアイソクロナス信号２０２が存在することをシステムコントローラ４０７へ通知する（図８の受信通知８１３）。システムコントローラ４０７は、撮像部４０１からの撮影映像のデータとは異なる経路で、入力された別チャンネルのアイソクロナス信号２０２を信号処理回路４０２へ送るように指示する。信号処理回路４０２では、別チャンネルで伝送されてきたアイソクロナス信号２０２をフォーマット変換し、表示部４０５へと送る。
【００３９】
表示部４０５では、撮像部４０１からの撮影映像とは異なる入力であることをシステムコントローラ４０７から指示される（図８の確認映像表示命令８１４）。図７に、表示部４０５の内部構成を示す。７０１は確認映像データ処理部、７０２は撮影映像データ処理部、７０３は表示装置である。表示部４０５では、外部からの入力映像を撮影映像上に重畳して表示するために、確認映像データ処理部７０１においてデコード処理を行い、撮影映像データ処理部７０２の映像に組み合わせて表示装置７０３へ送る。
【００４０】
表示装置７０３では、送られてきたデータを画面に表示する。ユーザは、表示装置７０３において記録確認映像を見ることで、確実にＡＶＨＤＤ１０２への記録確認を行うことができる。図９に、表示装置７０３における記録確認映像の表示例を示す。９０１は現在撮影中の映像を表示する撮影画面である。９０２はＡＶＨＤＤ１０２から伝送されてきた記録確認映像を表示する記録確認画面である。このようにユーザが撮影中でもＡＶＨＤＤ１０２への記録映像を確認できるようなピクチャー・イン・ピクチャー表示が行われる。
【００４１】
以上述べたように、ＡＶＨＤＤ１０２は、デジタルビデオカメラ１０１からの記録確認要求を受信することにより、記録している映像の再生を開始し、その再生映像を別チャンネルによってデジタルビデオカメラ１０１にフィードバックする。
【００４２】
ＡＶＨＤＤ１０２側で再生時間が過ぎた場合には、再生動作が停止され、IEEE1394バス上にアイソクロナス信号２０２が伝送されなくなる。これにより、デジタルビデオカメラ１０１のIEEE1394入出力回路４０４は信号の存在がなくなったことをシステムコントローラ４０７へ伝え、表示部４０５に対して記録確認映像の表示を停止することを伝える。表示部４０５では確認映像データ処理部７０１への信号がなくなるため、撮影映像データ処理部７０２では、現在撮影中の撮影映像データのみが処理されることになり、表示装置７０３は現在撮影中の撮影映像のみが表示される。
【００４３】
（表示内容の変更方法）
デジタルビデオカメラ１０１がアシンクロナス信号２０３によって記録確認要求を行うときに、表示するデータ内容を決定することが可能である。通常は撮影映像の記録済みの再生映像を記録確認画面９０２によって表示するが、ユーザの必要性に応じて内容を変更する方法を図１０、１１を用いて説明する。図１０において、１００１はメニュー画面、１００２は記録確認メニューのリスト、１００３〜１００８は記録確認メニューの選択可能リストである。
【００４４】
まず、デジタルビデオカメラ１０１のメニュー画面１００１から記録確認メニュー１００２を表示し、ユーザの用途や必要性に合わせて表示する内容を決定する。一例として、タイムコード表示１００４を選択した場合の処理を説明する。
【００４５】
タイムコード表示１００４が選択されると（ステップＳ１１０１）、システムコントローラ４０７は、ＡＶＨＤＤ１０２側へタイムコードを取得するためのＣＴＳコマンドを送る準備を行う（ステップ１１０２）。タイムコード表示１００４が選択されたとき既にトリガボタン４０６が押下され、記録を開始していた場合には、すぐにＣＴＳコマンドを発行し、ＡＶＨＤＤ１０２のタイムコードを取得する（ステップ１１０３、１１０４）。
【００４６】
記録中でない場合には、次にトリガボタン４０６が押下され、記録開始要求が発生したときに再生要求の代わりに発行される。また、記録中でかつ記録確認画面９０２を表示中であった場合は（ステップ１１０５）、すぐに記録確認画面９０２の表示を停止し（ステップ１１０６）、代わりにＡＶＨＤＤ１０２から送られてきたタイムコードを表示する（ステップＳ１１０７、１１０８）。
【００４７】
次に、ＡＶＨＤＤ１０２側の処理動作を説明する。アシンクロナス信号２０３により発行されたＣＴＳコマンドのタイムコード要求を受信した場合には、ＨＤＤに記録中のタイムコードをレスポンスとしてフィードバックする。再生中であった場合には、システムコントローラ５０５がＨＤＤ再生回路５０４に対して停止の指示を送り、ＨＤＤ再生回路５０４は指示に従い再生を中止する。
【００４８】
システムコントローラ５０５は、記録中のタイムコードをＨＤＤ記録回路５０２より取得して、IEEE1394入出力回路５０３にタイムコードを付加してレスポンスを返すように指示を送る。
【００４９】
なお、ここでは、ＡＶＨＤＤ１０２側のタイムコード取得方法について説明を行ったが、ＨＤＤに記録中のファイル名やＡＶＨＤＤ１０２の電池残量や記憶領域の空き容量や記録中の記録モード等の情報も、ＣＴＳコマンドを利用することによってデジタルビデオカメラ１１において表示することが可能である。
【００５０】
以上説明したように、本実施形態の映像記録再生システムでは、ユーザが撮影を開始したときに、撮影映像がＡＶＨＤＤ１０２と内蔵記録媒体であるテープ１０５に記録されているかを確認することができる。
【００５１】
特に、記録確認のために表示する内容を選択可能とすることにより、必要な情報が得られるとともに、システム全体の撮影中の状況を表示画面を見ながら確認することができ、映像記録再生装置の表示部分に対するハード的な負荷が減少され、映像記録再生装置の小型化が促進される。
【００５２】
更に、記録中であれば何時でも記録確認及びシステムの撮影状況を撮影画面を見ながら得ることを可能にすることで、ユーザが撮影したい映像を撮り逃すことが減少される。
【００５３】
なお、本発明の目的は、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、達成されることは言うまでもない。
【００５４】
この場合、記録媒体から読み出されたプログラムコード自体が上述した実施形態の機能を実現することになり、プログラムコード自体及びそのプログラムコードを記憶した記録媒体は本発明を構成することになる。
【００５５】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５８】
【図１】本実施形態の映像記録再生システムの構成例を示す図である。
【図２】アイソクロナス信号と非同期に転送されるアシンクロナス信号の混在した場合のエンベロープ波形を示す図である。
【図３】ブロードキャストチャンネル以外のチャンネル確保決定のための処理を示すフローチャートである。
【図４】ビデオカメラの内部構成を示す図である。
【図５】ＡＶＨＤＤの内部構成を示す図である。
【図６】ＡＶＨＤＤにおいて記録確認要求のアシンクロナス信号を受信したときの処理の流れについて説明するためのフローチャートである。
【図７】表示部の内部構成を示す図である。
【図８】デジタルビデオカメラのトリガボタンが押下されてから、デジタルビデオカメラにおいてＡＶＨＤＤへの記録確認を行うまでの処理の流れを示すシーケンス図である。
【図９】記録確認映像の表示例を示す図である。
【図１０】記録確認設定のメニューリストを示す図である。
【図１１】デジタルビデオカメラにおけるタイムコード取得の処理動作を説明するためのフローチャートである。
【符号の説明】
【００５９】
１０１  ビデオカメラ
１０２  ＡＶＨＤＤ
１０３  IEEE1394ケーブル
１０４  トリガボタン
１０５  テープ
４０１  撮像部
４０２  信号処理回路
４０３  テープ記録回路
４０４  IEEE1394入出力回路
４０５  表示回路
４０６  トリガボタン
４０７  システムコントローラ
５０１  信号処理回路
５０２  ＨＤＤ記録回路
５０３  IEEE1394入出力回路
５０４  ＨＤＤ再生回路
５０５  システムコントローラ
７０１  確認映像データ処理部
７０２  撮影映像データ処理部
７０３  表示装置
【図１】
2007036357.tif 000003
【図２】
2007036357.tif 000004
【図３】
2007036357.tif 000005
【図４】
2007036357.tif 000006
【図５】
2007036357.tif 000007
【図６】
2007036357.tif 000008
【図７】
2007036357.tif 000009
【図８】
2007036357.tif 000010
【図９】
2007036357.tif 000011
【図１０】
2007036357.tif 000012
【図１１】
2007036357.tif 000013